(57)【特許請求の範囲】
【請求項１】
一面に水溶性粘着層を設けた水溶性粘着シートを水溶性粘着層が上になるように配置し、水溶性粘着シートの水溶性粘着層の上に複数種類の糸状体を透かし模様を呈するように配置し、透かし模様を呈する糸状体の上に水溶性フィルムを配置し、水溶性フィルムを水溶性粘着シートに接合するように押圧し、これら全体をミシンによる縫い目で固定してレース状布地素材を形成し、レース状布地素材を水を入れた容器に浸漬し、レース状布地素材から水溶性粘着シートおよび水溶性フィルムを溶出して、糸状体の透かし模様をミシンによる縫い目で固定することを特徴とするレース状布地の製造方法。
【発明の詳細な説明】
【０００１】
【発明が属する技術分野】
本発明は、レース編みでは得られない外観を呈するレース状布地の製造方法に関する。
【０００２】
【従来の技術】
レース編みでは得られない外観を呈するレース状布地を作る研究は、現在までなされているが、透かし模様を呈する糸状体をその透かし模様を維持してミシンによる縫い目で固定することが難しいため、完成に至っていない。
【０００３】
【発明が解決しようとする課題】
本発明者は、水溶性粘着シートの水溶性粘着層の上に透かし模様を呈する糸状体を配置することで、透かし模様を呈する糸状体をその透かし模様を維持したままミシンによる縫い目で固定することが可能になり、水溶性粘着シートを後処理で取り除くことで、レース編みでは得られない外観を呈するレース状布地を作ることができた。
【０００４】
【課題を解決するための手段】
本発明のレース状布地の製造方法は、一面に水溶性粘着層を設けた水溶性粘着シートを水溶性粘着層が上になるように配置し、水溶性粘着シートの水溶性粘着層の上に複数種類の糸状体を透かし模様を呈するように配置し、透かし模様を呈する糸状体の上に水溶性フィルムを配置し、水溶性フィルムを水溶性粘着シートに接合するように押圧し、これら全体をミシンによる縫い目で固定してレース状布地素材を形成し、レース状布地素材を水を入れた容器に浸漬し、レース状布地素材から水溶性粘着シートおよび水溶性フィルムを溶出して、糸状体の透かし模様をミシンによる縫い目で固定したレース状布地を形成することすることを特徴とする。
【０００５】
【発明の実施の形態】
以下本発明の実施の形態を図面により説明する。
図１は本発明によるＴシャツの飾り片となるレース状布地のレース状布地素材を示す図である。
【０００６】
レース状布地素材１は、水溶性粘着シート２と、水溶性粘着シート２の上に透かし模様を呈するように配置された糸状体３，４と、透かし模様を呈する糸状体３，４の上に配置された水溶性フィルム５と、透かし模様を呈する糸状体を固定するミシンによる縫い目６とを有する。
【０００７】
レース状布地素材１は、水溶性粘着シート２と水溶性フィルム５を後工程で取り除くことで、糸状体３，４の透かし模様をミシンによる縫い目６で固定したレース状布地を構成する。
【０００８】
水溶性粘着シート２は、たとえば、ポリビニールアルコールを主体とした水溶性繊維で形成した不織布の一面に厚さ１５ミクロン程度の水溶性アクリル粘着層を設けた構成である。
【０００９】
糸状体３，４は、コードヤーン、細幅テープ、毛糸、紡績糸、フィラメント糸、刺繍糸等から複数種類が適当に選定される。
【００１０】
水溶性フィルム５は、厚さ１５ミクロン程度の水溶性ポリビニールアルコールフィルムが好ましい。
【００１１】
図２は本発明によるレース状布地の製造方法の工程ブロック図を示す。
まず、所定形状に裁断した水溶性粘着シート２を水溶性粘着層が上になるように作業台の上に配置する。
【００１２】
つぎに、水溶性粘着シート２の水溶性粘着層の上に複数種類の糸状体３，４を所望の透かし模様を呈するように配置する。Ｔシャツの飾り片を作る場合には、飾り片の周縁部分に沿って輪郭線を描くようにコードヤーンを配置し、コードヤーンに囲まれる空間に刺繍糸等の糸により所望の透かし模様を呈するように配置する。この糸は１種類であつても２種類以上であつてもよい。糸の配置は、直線でも、曲線でも、折れ線であつてもよいが、糸の占有面積は、水溶性粘着シート２の全面の半分以下とすることが好ましい。
【００１３】
つぎに、透かし模様を呈する糸状体３，４の上に水溶性フィルム５を配置し、水溶性フィルム５を水溶性粘着シート２に接合するように押圧する。これにより、透かし模様を呈する糸状体３，４は、水溶性フィルム５と水溶性粘着シート２により挟持され、透かし模様の形態は維持される。
【００１４】
つぎに、これら全体をミシンによる縫い目６で固定してレース状布地素材１を形成する。この場合、輪郭線を描くコードヤーンの繋ぎ合わせ部を縫い目６で連結し、内側部分を縦、横、斜めの縫い目６ａで連結する。縦縫い目６ａと横縫い目６ａは、１ｃｍ〜２ｃｍの間隔の方眼形とすることが望ましい。縫い目のピッチは、３〜６針／ｃｍが適当である。縫い糸は、フィラメント糸が適している。
【００１５】
つぎに、レース状布地素材１を水を入れた容器に２０分程度浸漬し、レース状布地素材１から水溶性粘着シート２および水溶性フィルム５を溶出して、透かし模様を呈するレース状布地とする。
【００１６】
最後に、透かし模様を呈するレース状布地をタオルなどに挟んで水分取り除き、乾燥させることでＴシャツの飾り片となるレース状布地が完成する。Ｔシャツの飾り片となるレース状布地は、Ｔシャツの所定位置に配置され、ミシンによりＴシャツに逢着される。
【００１７】
つぎに、本発明のレース状布地の製造方法により女性服地を作る例について説明する。
【００１８】
まず、一面に水溶性粘着層を設けた水溶性粘着シート２を、図３に示すように、着用者の左前身頃片１０ａと右前身頃片１０ｂと左後身頃片１０ｃと右後身頃片１０ｄに相当する片に裁断する。
【００１９】
つぎに、裁断された４つの身頃片１０ａ，１０ｂ，１０ｃ，１０ｄを、水溶性粘着層を上にして、右後身頃片１０ｄ、右前身頃片１０ｂ、左前身頃片１０ａ、左後身頃片１０ｃの順に互いに連接するように作業台の上に配置する。
【００２０】
つぎに、水溶性粘着シート２の水溶性粘着層の上に、図３に示すように、各身頃片１０ａ，１０ｂ，１０ｃ，１０ｄの周縁に沿うようにテープヤーン１１を配置し、テープヤーン１１を各身頃片１０ａ，１０ｂ，１０ｃ，１０ｄの周縁に押しつける。
【００２１】
つぎに、コードヤーン１１に囲まれる空間に、図４に示すように、刺繍糸等の糸１２，１３により所望の透かし模様を呈するように配置する。この糸１２，１３は１種類であつても３種類以上であつてもよい。糸の配置は、直線でも、曲線でも、折れ線であつてもよいが、糸の占有面積は、水溶性粘着シートの全面の半分以下とすることが好ましい。
【００２２】
つぎに、透かし模様を呈する糸状体の上に水溶性フィルム５を配置し、水溶性フィルム５を水溶性粘着シート３に接合するように押圧する。これにより、透かし模様を呈する糸状体１１，１２，１３は、水溶性フィルム５と水溶性粘着シート２により挟持され、その透かし模様の形態は維持される。
【００２３】
つぎに、これら全体を、図５で点線で示すミシンによる縫い目１４で固定してレース状布地素材１を形成する。この場合、輪郭線を描くコードヤーン１１の繋ぎ合わせ部を縫い目で連結し、内側部分を縦、横、斜めの縫い目で連結する。縦縫い目と横縫い目は、１ｃｍ〜２ｃｍの間隔の方眼形とすることが望ましい。縫い目のピッチは、３〜６針／ｃｍが適当である。縫い糸は、フィラメント糸が適している。
【００２４】
つぎに、レース状布地素材１を水を入れた容器に２０分程度浸漬し、レース状布地素材から水溶性粘着シートおよび水溶性フィルムを溶出する。
【００２５】
最後に、透かし模様を呈するレース状布地をタオルなどに挟んで水分取り除き、乾燥させることで女性服地となるレース状布地が完成する。
【００２６】
【発明の効果】
以上述べたように、本発明によれば、所望の透かし模様を呈する糸状体をその透かし模様を維持したままミシンによる縫い目で固定することができるので、レース編みでは得られない外観を呈するレース状布地を作ることができる。
【図面の簡単な説明】
【図１】  本発明によるレース状布地の中簡段階を示す図。
【図２】  本発明によるレース状布地の製造方法を示すブロック図。
【図３】  本発明によるレース状布地の製造方法の他の実施の形態の第１段階を示す図。
【図４】  本発明によるレース状布地の製造方法の他の実施の形態の第２段階を示す図。
【図５】  本発明によるレース状布地の製造方法の他の実施の形態の第３段階を示す図。
【符号の説明】
１  レース状布地素材
２  水溶性粘着シート
３，４  糸状体
５  水溶性フィルム
６  縫い目
【図１】
0003979624.tif 000002
【図２】
0003979624.tif 000003
【図３】
0003979624.tif 000004
【図４】
0003979624.tif 000005
【図５】
0003979624.tif 000006